(57)【要約】      （修正有）【課題】Ｕ字ボルトに対する挟持材を良好な配置関係に保ち、螺旋状ケーブル支持具の吊線に対する固定作業を円滑に行える、螺旋状ケーブル支持具の吊線に対する固定金具を提供する。【解決手段】Ｕ字ボルト１の一方の螺杆部１ｂに一端側の挿通孔７において回動自在に組付けた挟持材２の他の一端に前記Ｕ字ボルト１の他方の螺杆部１ｂ´に係合する切欠８を設け、挟持材２より突出する前記各螺杆部１ｂ，１ｂ´にナット３を螺合締付けて前記Ｕ字ボルト１の屈曲部１ａと前記挟持材２とで吊線ａと該吊線ａ上に重なり合う螺旋状ケーブル支持具ｂを挟持するようにする。そして、前記一方の螺杆部１ｂには前記挿通孔７の内周面に圧接する弾性片５を組付ける。【選択図】図２
2008079402.tif 000002
【特許請求の範囲】
【請求項１】
Ｕ字ボルトの一方の螺杆部に一端側の挿通孔において回動自在に組付けた挟持材の他の一端に、前記Ｕ字ボルトの他方の螺杆部に係合する切欠を設け、挟持材より突出する前記各螺杆部にナットを螺合締付けて前記Ｕ字ボルトの屈曲部と前記挟持材とで吊線と該吊線上に重なり合う螺旋状ケーブル支持具を挟持するようにして成り、前記一方の螺杆部には前記挿通孔の内周面に圧接する弾性片を組付けた、螺旋状ケーブル支持具の吊線固定金具。
【発明の詳細な説明】
【技術分野】
【０００１】
本発明は、ケーブルを支持するために吊線に巻付け支持させて用いる螺旋状ケーブル支持具の吊線固定金具に関するものである。
【背景技術】
【０００２】
Ｕ字ボルトの一方の螺杆部に一端側の挿通孔において回動自在に組付けた挟持材の他の一端に前記Ｕ字ボルトの他方の螺杆部に係合する切欠を設け、挟持材より突出する前記各螺杆部にナットを螺合締付けて前記Ｕ字ボルトの屈曲部と前記挟持材とで吊線と該吊線上に重なり合う螺旋状ケーブル支持具を挟持するようにした構造の、螺旋状ケーブル支持具の吊線固定金具は公知である。（例えば、特許文献１）。
【０００３】
【特許文献１】特開２００２−１３５９５３号公報
【発明の開示】
【発明が解決しようとする課題】
【０００４】
前記従来例は、吊線と該吊線上に重なり合う螺旋状ケーブル支持具をＵ字ボルトの内側に係合させた後、一方の螺杆部に挿通孔において組付けた挟持材の一端を該螺杆部を中心に回動させて挟持材の他の一端側に設けた切欠を、Ｕ字ボルトの他の一方の螺杆部に係合させ、各螺杆部に螺合したナットを締め付けて前記支持具を前記吊線に固定するものであるが、挟持材はその一端側の挿通孔にＵ字ボルトの螺杆部に、該螺杆部を挿通させるようにして組付けてあるので、指先で保持しない限り、その自重によって螺杆部に沿って降下して、Ｕ字ボルトの屈曲部において垂れ下がり、吊線等をボルト内側に係合する際に螺杆部上方へと移動させる必要があり、また、係合後においても所定位置からずれるため、同様に適宜位置に移動させ、切欠部の他の一方の螺杆部の係合のための準備作業をしなければならない。
【０００５】
本発明は、斯様な従来例の欠点に着目し、Ｕ字ボルトに対する挟持材を良好な配置関係に保ち、螺旋状ケーブル支持具の吊線に対する固定作業を円滑に行える、螺旋状ケーブル支持具の吊線固定金具を提供することを目的として創案したものである。
【課題を解決するための手段】
【０００６】
Ｕ字ボルトの一方の螺杆部に一端側の挿通孔において回動自在に組付けた挟持材の他の一端に、前記Ｕ字ボルトの他方の螺杆部に係合する切欠を設け、挟持材より突出する前記各螺杆部にナットを螺合締付けて前記Ｕ字ボルトの屈曲部と前記挟持材とで吊線と該吊線上に重なり合う螺旋状ケーブル支持具を挟持するようにして成り、前記一方の螺杆部には前記挿通孔の内周面に圧接する弾性片を組付けた構成とするのである。
【発明の効果】
【０００７】
本発明によれば、弾性片の存在によって螺杆部に沿って挟持材が移動することがなく、螺杆部に対する挟持材の位置、方向等を指先によって位置決めした状態を確実に維持できる。
【０００８】
従って、Ｕ字ボルトの内側の吊線等の係合作業や切欠を螺杆部に係合させて両螺杆部間に挟持材をわたす作業等の、螺旋状ケーブル支持具の吊線に対する固定作業を円滑に行うことができる吊線固定具を提供できる。
【実施例】
【０００９】
図面は本発明に係る螺旋状ケーブル支持具の吊線固定具の一実施例を示し、図１は平面図、図２は図１のａ−ａ線断面図、図３は使用前の状態の正面図、図４は挟持材の正面図、図５は挟持材の底面図である。
【００１０】
本発明に係る吊線固定金具Ａは、吊線ａに巻き付けて支持させ、該吊線ａの直下においてケーブルｃを吊下するために用いる螺旋状ケーブル支持具ｂの端末を前記吊線ａに固定するために用いるものであって、Ｕ字ボルト１と該Ｕ字ボルト１の螺杆部１ｂ，１ｂ´を貫通させてＵ字ボルト１に組合わせる挟持材２及び挟持材２より突出する前記螺杆部１ｂの先端に螺合する緊締ナット３で構成したものである。
【００１１】
Ｕ字ボルト１は、屈曲部１ａの両側に螺杆部１ｂ，１ｂ´を相対設して構成したＵ字杆体で成り、一方の螺杆部１ｂの中間部にはゴム製の弾性片５を組付けたものである。
【００１２】
実施例の弾性片５は、ゴムを素材とするが樹脂でも良く、また、実施例のようなリング体に限らず筒体でも不都合はないし、線状や帯状のものを螺杆部１ｂに巻き付けた構成のものでも良い。
【００１３】
挟持材２は、長手方向の両側端縁を丸くした長形ブロック体６ａの前記長手方向に沿う一側の中央部に、方形状の部片６ｂを一段低くして突設したブロック体で成り、ブロック体６ａの長手方向の一側に透孔より成る挿通孔７を、他の一側に挿通孔７を中心とする円周上に開口部を有する切欠孔８を設け、また、この切欠孔８と前記挿通孔７との前記ブロック体６ａの下面には、該挿通孔７と切欠８を結ぶ仮想直線に対して交叉させるようにして螺旋状ケーブル支持具ｂが係合する第一係合凹部９を設け、該第一係合凹部９を設けた前記ブロック体６ａより一段低くして突設した前記部片６ｂの下面には、前記吊線ａに沿う（前記仮想直線に直交する）方向にして、しかも、前記第一係合凹部９と吊線ａの軸線方向に位置をずらせて第二係合凹部１０を設けて構成したものである。
【００１４】
しかして、弾性片５を組付けた一方の螺杆部１ｂに、該螺杆部１ｂを挿通孔７に前記弾性片５を介して挿通するようにして挟持材２を組付け、挟持材２より突出する螺杆部１ｂの先端および他の一方の螺杆部１ｂ´の先端にそれぞれ緊締ナット３を螺合して実施例の吊線固定金具Ａを得ることができる。
【００１５】
吊線固定金具Ａは、挿通孔７と螺杆部１ｂとの間に弾性片５が介在するので、該弾性片５の摩擦抵抗により螺杆部１ｂに組付けた挟持材２は螺杆部１ｂに沿って移動（自重で）することがなく、当該螺杆部１ｂ部位置を保持する（図３の二点鎖線で示すような状態になりにくい）。
【００１６】
そして、既設の吊線ａと螺旋状ケーブル支持具ｂとの交差部をＵ字ボルト１の内側（螺杆部１ｂ，１ｂ間）に係合するようにして組合わせ、定置状態にある挟持材２を螺杆部１ｂを中心に回動させて切欠孔８を他の螺杆部１ｂ´に係合して、螺杆部１ｂ，１ｂ´間に挟持材２をかけ渡し、該挟持材２を螺杆部１ｂ，１ｂ´に沿って降下させて、第一係合凹部９に螺旋状ケーブル支持具ｂが、第二係合凹部１０に吊線ａがそれぞれ係合する位置に降下させ、挟持材２の部片６ｂとＵ字ボルト１の屈曲部１ａを一方の指先で挟むようにして他方の指先で緊締ナット３を締付けると、挟持材２は吊線ａとケーブル支持具ｂを直接押圧し、これらをＵ字ボルト１とで挟持して挟持材２を吊線ａに固定するのである。
【図面の簡単な説明】
【００１７】
【図１】平面図。
【図２】図１のａ−ａ線断面図。
【図３】使用前の状態の正面図。
【図４】挟持材の正面図。
【図５】挟持材の底面図。
【符号の説明】
【００１８】
１                Ｕ字ボルト
１ａ              屈曲部
１ｂ，１ｂ´      螺杆部
２                挟持材
５                弾性片
７                挿通孔
８                切欠
ａ                吊線
ｂ                螺旋状ケーブル支持具
【図１】
2008079402.tif 000003
【図２】
2008079402.tif 000004
【図３】
2008079402.tif 000005
【図４】
2008079402.tif 000006
【図５】
2008079402.tif 000007